(57)【要約】【課題】短稈を収穫する収穫作業時での収穫効率の低下を防止する。【解決手段】２条の未刈り穀稈を導入可能に左右に配置した２つの分草杆部Ａｃ，Ａｄの間に引起装置１３Ｃを配備して２条の未刈り穀稈を引き起こし可能に構成した２条用の引起枠１８Ｃと、２条用の引起枠１８Ｃで引き起こした未刈り穀稈の株元側を無端回動帯３３Ｃで機体の後方側に掻き込み搬送する２条用の掻込搬送機構３１Ｃとを備え、２条用の掻込搬送機構３１Ｃを、２条用の掻込搬送機構３１Ｃの前端が引起装置１３Ｃから離れて２条用の掻込搬送機構３１Ｃの搬送領域が隣り合う２つの分草杆部Ａｃ，Ａｄにほぼわたる第１搬送姿勢と、２条用の掻込搬送機構３１Ｃの前端が第１搬送姿勢よりも引起装置１３Ｃに近づいて引起装置１３Ｃが引き起こす未刈り穀稈に対して２条用の掻込搬送機構３１Ｃがより速く掻き込み搬送作用する第２搬送姿勢とに姿勢変更可能に構成する。【選択図】図４
2012090578.tif 000002
【特許請求の範囲】
【請求項１】
隣り合う２つの分草杆部を、それらの間に２条の未刈り穀稈の導入が可能となるように左右方向に所定間隔をあけて配置し、前記２つの分草杆部の間に、前記２つの分草杆部の間に導入した未刈り穀稈を引き起こす引起装置を配備して、２条の未刈り穀稈の引き起こしが可能となるように構成した２条用の引起枠と、前記２条用の引起枠で引き起こした未刈り穀稈の株元側を無端回動帯で機体の後方側に掻き込み搬送するように構成した２条用の掻込搬送機構とを備えた刈取収穫機の刈取搬送構造において、
前記２条用の掻込搬送機構を、前記２条用の掻込搬送機構の前端が前記引起装置から離れて前記２条用の掻込搬送機構の搬送領域が前記隣り合う２つの分草杆部にわたる又はほぼわたる第１搬送姿勢と、前記２条用の掻込搬送機構の前端が前記第１搬送姿勢よりも前記引起装置に近づいて前記引起装置が引き起こす未刈り穀稈に対して前記２条用の掻込搬送機構がより速く掻き込み搬送作用する第２搬送姿勢とに姿勢変更可能に構成してある刈取収穫機の刈取搬送構造。
【請求項２】
前記２条用の掻込搬送機構を、その搬送終端部に備えた回転体を支持する上下向きの後支軸を支点にして前記第１搬送姿勢と前記第２搬送姿勢とに姿勢変更するように構成してある請求項１に記載の刈取収穫機の刈取搬送構造。
【請求項３】
前記２条用の掻込搬送機構を支持する支持フレームに、前記支持フレームに対する前記２条用の掻込搬送機構の搬送始端部に備えた回転体を支持する上下向きの前支軸の取り付け位置の変更で前記２条用の掻込搬送機構の前記第１搬送姿勢と前記第２搬送姿勢との姿勢変更を可能にする２つの取付孔を形成してある請求項１又は２に記載の刈取収穫機の刈取搬送構造。
【請求項４】
隣り合う２つの分草杆部を、それらの間に１条の未刈り穀稈の導入が可能となるように左右方向に所定間隔をあけて配置し、前記２つの分草杆部の間に、前記２つの分草杆部の間に導入した未刈り穀稈を引き起こす引起装置を配備して、１条の未刈り穀稈を引き起こすように構成した１条用の引起枠と、前記１条用の引起枠で引き起こした未刈り穀稈を無端回動帯で機体の後方側に掻き込み搬送する１条用の掻込搬送機構とを備え、
前記２条用の掻込搬送機構の掻き込み搬送速度が前記１条用の掻込搬送機構の掻き込み搬送速度よりも速くなるように構成してある請求項１〜３のいずれか一つに記載の刈取収穫機の刈取搬送構造。
【請求項５】
前記２条用の掻込搬送機構に備える駆動用の回転体として、前記１条用の掻込搬送機構に備える駆動用の回転体よりも大径のものを採用してある請求項４に記載の刈取収穫機の刈取搬送構造。
【発明の詳細な説明】
【技術分野】
【０００１】
本発明は、隣り合う２つの分草杆部を、それらの間に２条の未刈り穀稈の導入が可能となるように左右方向に所定間隔をあけて配置し、前記２つの分草杆部の間に、前記２つの分草杆部の間に導入した未刈り穀稈を引き起こす引起装置を配備して、２条の未刈り穀稈の引き起こしが可能となるように構成した２条用の引起枠と、前記２条用の引起枠で引き起こした未刈り穀稈の株元側を無端回動帯で機体の後方側に掻き込み搬送するように構成した２条用の掻込搬送機構とを備えた刈取収穫機の刈取搬送構造に関する。
【背景技術】
【０００２】
上記のような刈取収穫機の刈取搬送構造では、２条用の掻込搬送機構を、その前端が引起装置から離れて、２条用の掻込搬送機構の搬送領域が２条用の掻込搬送機構に隣接する２つの分草部材にわたる又はほぼわたる所定の搬送姿勢で固定装備するように構成していた（例えば特許文献１参照）。
【先行技術文献】
【特許文献】
【０００３】
【特許文献１】特開２０１０−１１７６９号公報（図７、図８、図１３〜１５）
【発明の概要】
【発明が解決しようとする課題】
【０００４】
稈長の短い短稈を収穫する収穫作業時において、２条用の引起枠に２条の未刈り穀稈を導入すると、その２条の未刈り穀稈のうちの引起装置の引き起こし領域から遠い側の未刈り穀稈の引き起こし代が極端に短くなることから、その遠い側の未刈り穀稈が引起装置による引き起こしの途中で引起装置から外れることがある。このような場合に、２条用の掻込搬送機構を前述した所定の搬送姿勢で固定配備していると、引起装置から外れた未刈り穀稈が２条用の掻込搬送機構の掻き込み搬送作用を受けずに、引起装置と２条用の掻込搬送機構との間に倒伏して刈り残されるなどの不都合を招き易くなっていた。
【０００５】
本発明の目的は、短稈を収穫する収穫作業時での収穫効率の低下を防止することにある。
【課題を解決するための手段】
【０００６】
本発明の第１の課題解決手段では、
隣り合う２つの分草杆部を、それらの間に２条の未刈り穀稈の導入が可能となるように左右方向に所定間隔をあけて配置し、前記２つの分草杆部の間に、前記２つの分草杆部の間に導入した未刈り穀稈を引き起こす引起装置を配備して、２条の未刈り穀稈の引き起こしが可能となるように構成した２条用の引起枠と、前記２条用の引起枠で引き起こした未刈り穀稈の株元側を無端回動帯で機体の後方側に掻き込み搬送するように構成した２条用の掻込搬送機構とを備えた刈取収穫機の刈取搬送構造において、
前記２条用の掻込搬送機構を、前記２条用の掻込搬送機構の前端が前記引起装置から離れて前記２条用の掻込搬送機構の搬送領域が前記隣り合う２つの分草杆部にわたる又はほぼわたる第１搬送姿勢と、前記２条用の掻込搬送機構の前端が前記第１搬送姿勢よりも前記引起装置に近づいて前記引起装置が引き起こす未刈り穀稈に対して前記２条用の掻込搬送機構がより速く掻き込み搬送作用する第２搬送姿勢とに姿勢変更可能に構成してある。
【０００７】
この課題解決手段によると、稈長の長い長稈を収穫する場合には、２条用の掻込搬送機構を第１搬送姿勢にすることで、２条用の引起枠に導入されて引起装置で引き起こされる未刈り穀稈の株元側を、１条導入状態と２条導入状態とにかかわらず掻込搬送機構によって機体の後方側に適切に掻き込み搬送することができる。
【０００８】
又、稈長の短い短稈を収穫する場合には、２条用の掻込搬送機構を第２搬送姿勢にすることで、２条用の引起枠に導入されて引起装置で引き起こされる未刈り穀稈が、引起装置による引き起こしの途中で引起装置から外れたとしても、その未刈り穀稈を２条用の掻込搬送機構が引起装置の近くに位置する前端側で受け止めて機体の後方側に掻き込み搬送するようになる。これにより、稈長の短い未刈り穀稈（特に２条用の引起枠に対する２条導入状態での引起装置の引き起こし領域から遠い側の未刈り穀稈）が引起装置から外れて倒伏することに起因した刈り残しなどの発生を防止することができる。
【０００９】
従って、長稈を収穫する収穫作業時と短稈を収穫する収穫作業時とにかかわらず収穫効率の低下を防止することができる。
【００１０】
本発明の第２の課題解決手段では、上記第１の課題解決手段において、
前記２条用の掻込搬送機構を、その搬送終端部に備えた回転体を支持する上下向きの後支軸を支点にして前記第１搬送姿勢と前記第２搬送姿勢とに姿勢変更するように構成してある。
【００１１】
この課題解決手段によると、２条用の掻込搬送機構の搬送終端位置を変更することなく２条用の掻込搬送機構を第１搬送姿勢と第２搬送姿勢とに姿勢変更することができる。つまり、２条用の掻込搬送機構の姿勢変更にかかわらず、２条用の掻込搬送機構からその直後方の機器への穀稈の受け渡しを良好に行うことができる。
【００１２】
従って、２条用の掻込搬送機構からその直後方の機器への穀稈の受け渡し不良に起因した搬送詰まりの発生を防止することができる。
【００１３】
本発明の第３の課題解決手段では、上記第１又は２の課題解決手段において、
前記２条用の掻込搬送機構を支持する支持フレームに、前記支持フレームに対する前記２条用の掻込搬送機構の搬送始端部に備えた回転体を支持する上下向きの前支軸の取り付け位置の変更で前記２条用の掻込搬送機構の前記第１搬送姿勢と前記第２搬送姿勢との姿勢変更を可能にする２つの取付孔を形成してある。
【００１４】
この課題解決手段によると、支持フレームに２つの取付孔を形成するだけの簡単な構成で、２条用の掻込搬送機構を第１搬送姿勢と第２搬送姿勢とに姿勢変更することができる。
【００１５】
従って、構成の簡素化を図りながら長稈を収穫する収穫作業時と短稈を収穫する収穫作業時とにかかわらず収穫効率の低下を防止することができる。
【００１６】
本発明の第４の課題解決手段では、上記第１〜３のいずれか一つの課題解決手段において、
隣り合う２つの分草杆部を、それらの間に１条の未刈り穀稈の導入が可能となるように左右方向に所定間隔をあけて配置し、前記２つの分草杆部の間に、前記２つの分草杆部の間に導入した未刈り穀稈を引き起こす引起装置を配備して、１条の未刈り穀稈を引き起こすように構成した１条用の引起枠と、前記１条用の引起枠で引き起こした未刈り穀稈を無端回動帯で機体の後方側に掻き込み搬送する１条用の掻込搬送機構とを備え、
前記２条用の掻込搬送機構の掻き込み搬送速度が前記１条用の掻込搬送機構の掻き込み搬送速度よりも速くなるように構成してある。
【００１７】
ところで、２条用の掻込搬送機構は、２条の未刈り穀稈の掻き込み搬送を可能にするために１条用の掻込搬送機構よりも搬送領域が長くなるように構成してある。そのため、２条用の掻込搬送機構を、その掻き込み搬送速度が１条用の掻込搬送機構の掻き込み搬送速度と同じになるように構成すると、２条用の引起枠に２条の未刈り穀稈を導入する収穫作業時に、２条用の掻込搬送機構での搬送能力が不足して２条用の掻込搬送機構において未刈り穀稈が滞留して詰まるなどの不都合を招く虞がある。
【００１８】
そこで、この課題解決手段では、２条用の掻込搬送機構の掻き込み搬送速度が１条用の掻込搬送機構の掻き込み搬送速度よりも速くなるように構成しているのであり、これにより、２条用の引起枠に２条の未刈り穀稈を導入する収穫作業時に、２条用の掻込搬送機構での搬送能力が不足することに起因した穀稈詰まりなどの発生を防止することができる。
【００１９】
本発明の第５の課題解決手段では、上記第４の課題解決手段において、
前記２条用の掻込搬送機構に備える駆動用の回転体として、前記１条用の掻込搬送機構に備える駆動用の回転体よりも大径のものを採用してある。
【００２０】
この課題解決手段によると、１条用の掻込搬送機構と２条用の掻込搬送機構とにおいて、それらに備える駆動用の回転体の回転数を同じにしながらも、２条用の掻込搬送機構に備えた駆動用の回転体の周速度が１条用の掻込搬送機構に備えた駆動用の回転体の周速度よりも速くなるとともに、２条用の掻込搬送機構に備えた無端回動体の回動速度が１条用の掻込搬送機構に備えた無端回動体の回動速度よりも速くなり、２条用の掻込搬送機構の掻き込み搬送速度が１条用の掻込搬送機構の掻き込み搬送速度よりも速くなる。
【００２１】
つまり、２条用の掻込搬送機構に備える駆動用の回転体として、１条用の掻込搬送機構に備える駆動用の回転体よりも大径のものを採用するだけの簡単な構成でありながら、１条用と２条用の両掻込搬送機構の掻き込み搬送速度が同じであることに起因して、２条用の引起枠に２条の未刈り穀稈を導入する収穫作業時に２条用の掻込搬送機構において穀稈詰まりなどが発生することを防止することができる。
【図面の簡単な説明】
【００２２】
【図１】自脱型コンバインの全体左側面図である。
【図２】刈取搬送装置の構成を示す要部の概略平面図である。
【図３】２条用の掻込搬送機構を第１搬送姿勢に姿勢変更した状態を示す要部の横断平面図である。
【図４】２条用の掻込搬送機構を第２搬送姿勢に姿勢変更した状態を示す要部の概略横断平面図である。
【図５】左右の掻込搬送機構への伝動構造を示す要部の一部展開縦断背面図である。
【図６】１条用の掻込搬送機構の構成及び支持構造を示す要部の左側面図である。
【図７】２条用の掻込搬送機構の構成及び支持構造を示す要部の縦断右側面図である。
【図８】右側の支持フレームの一部切り欠き平面図である。
【図９】右側の支持フレームの左側面図である。
【発明を実施するための形態】
【００２３】
以下、本発明を実施するための形態の一例として、本発明に係る刈取収穫機の刈取搬送構造を、刈取収穫機の一例である自脱型コンバインに適用した実施形態を図面に基づいて説明する。
【００２４】
図１に示すように、この実施形態で例示する自脱型コンバインは、走行機体１の前部右側に搭乗運転部２を形成し、走行機体１の下部に左右一対のクローラ３を配備してある。走行機体２の前部には、機体の走行に伴って収穫対象の未刈り穀稈を刈り取って搬送する刈取搬送装置４を、走行機体１から機体前方に向けて延出した状態で昇降揺動可能に装備してある。走行機体２の後部左側には、刈取搬送装置４からの刈り取り後の穀稈（以下、刈取穀稈と称する）に扱き処理を施し、扱き処理で得た処理物に選別処理を施す脱穀装置５を搭載してある。走行機体２の後部右側には、脱穀装置５での扱き処理及び選別処理で得た単粒化穀粒を貯留する穀粒タンク６を搭載してある。脱穀装置５の後端部には、脱穀処理後の刈取穀稈である排ワラを細断して機外に排出することを可能にする排ワラ細断装置７を連結してある。穀粒タンク６には、穀粒タンク６に貯留した単粒化穀粒の機外への排出を可能にするスクリュ搬送式の穀粒排出装置８を装備してある。
【００２５】
刈取搬送装置４の昇降揺動は、走行機体１と刈取搬送装置４とにわたって架設した油圧式の昇降シリンダ９の伸縮作動で、刈取搬送装置４の後端に左右向きに備えた刈り取り搬送用の入力軸１０を中心にして行うように構成してある。
【００２６】
図示は省略するが、走行機体１の前部右側にエンジンを搭載してあり、このエンジンからの動力を、ベルト式伝動装置、トランスミッションケースに一体装備した静油圧式無段変速装置、及び、トランスミッションケースの内部に備えた走行伝動系、などを介して左右のクローラ３に伝達するように構成してある。又、静油圧式無段変速装置の入力軸から分岐した動力を、刈り取り搬送用の動力としてベルトテンション式の刈取クラッチなどを介して刈り取り搬送用の入力軸１０に伝達するように構成してある。
【００２７】
図１〜７に示すように、刈取搬送装置４は、走行機体１における左側の前端上部から機体前方に向けて昇降揺動可能に延出する刈取搬送フレーム１１を備え、この刈取搬送フレーム１１に、３つの穀稈導入経路を形成する４つの分草部材１２Ａ〜１２Ｄ、対応する穀稈導入経路に導入された未刈り穀稈を引き起こす３基の引起装置１３Ａ〜１３Ｃ、対応する穀稈導入経路に導入された未刈り穀稈を機体後方側に掻き込み搬送する３基の掻込搬送装置１４Ａ〜１４Ｃ、各掻込搬送装置１４Ａ〜１４Ｃによる搬送中の未刈り穀稈の株元側を切断するバリカン型の切断装置１５、対応する掻込搬送装置１４Ａ〜１４Ｃが搬送した刈取穀稈を機体の左右中央側の後方に向けて挟持搬送する左右一対の挟持搬送装置１６Ａ，１６Ｂ、及び、左右の挟持搬送装置１６Ａ，１６Ｂからの刈取穀稈を脱穀装置５に供給する供給搬送装置１７、などを備えて構成してある。そして、４つの分草部材１２Ａ〜１２Ｄを左右方向に所定間隔をあけて配置し、それらの分草部材１２Ａ〜１２Ｄが形成する３つの穀稈導入経路に対応する引起装置１３Ａ〜１３Ｃを立設配備することで、刈取搬送装置４の前部に３つの引起枠１８Ａ〜１８Ｃを形成してある。
【００２８】
刈取搬送フレーム１１は、その後端に丸パイプ材などから構成した左右向きの揺動支点部材１９を備え、この揺動支点部材１９を走行機体１に相対回動可能に支持させてある。揺動支点部材１９には、丸パイプ材などから構成した延出部材２０を揺動支点部材１９から機体前方に向けて延出するように前後向きに連結してあり、この延出部材２０の延出端部（前端部）に、丸パイプ状の中間部材２１を延出部材２０の延出端部から左右に延出するように左右向きに連結してある。中間部材２１には、中間部材２１から機体前方に向けて延出するように補助フレーム２２を連結してあり、又、丸パイプ材などから構成した３つの引起上部支持部材２３Ａ〜２３Ｃを対応する引起装置１３Ａ〜１３Ｃの上部を支持するように立設してある。
【００２９】
揺動支点部材１９、延出部材２０、中間部材２１、及び、各引起上部支持部材２３Ａ〜２３Ｃは、刈り取り搬送用の動力を刈り取り搬送用の入力軸１０から各引起装置１３Ａ〜１３Ｃや各掻込搬送装置１４Ａ〜１４Ｃなどに伝達する刈取搬送伝動系２４を内蔵する伝動ケースを兼ねるように、それらの内部を連通させてある。
【００３０】
つまり、刈取搬送フレーム１１は、揺動支点部材１９、延出部材２０、中間部材２１、及び、各引起上部支持部材２３Ａ〜２３Ｃなどから刈り取り搬送用の伝動ケースを兼用するように構成してある。
【００３１】
補助フレーム２２は、対応する分草部材１２Ａ〜１２Ｄの後端部を支持する４つの分草用支持部材２５Ａ〜２５Ｄを、それらが機体の左右方向に所定間隔をあけて位置するように左右向きの連結部材２６を介して連結し、左右両端の分草用支持部材２５Ａ，２５Ｄと左から２番目の分草用支持部材２５Ｂのそれぞれに、対応する引起装置１３Ａ〜１３Ｃの下部を支持する逆Ｌ字状の引起下部支持部材２７Ａ〜２７Ｃを立設して構成してある。
【００３２】
左端の分草用支持部材２５Ａは、中間部材２１の左端部から機体前方に向けて延出するＬ字状に形成してあり、この左端の分草用支持部材２５Ａの前後向き部分と左端の分草部材１２Ａとから左端の分草杆部Ａａを構成してある。左から２番目（右から３番目）の分草用支持部材２５Ｂは、連結部材２６における左寄りの部位から機体前方に向けて一直線状に延出するように形成してあり、この左から２番目の分草用支持部材２５Ｂと左から２番目の分草部材１２Ｂとから左から２番目の分草杆部Ａｂを構成してある。左から３番目（右から２番目）の分草用支持部材２５Ｃは、連結部材２６における右寄りの部位から機体前方に向けて一直線状に延出するように形成してあり、この左から３番目の分草用支持部材２５Ｃと左から３番目の分草部材１２Ｃとから左から３番目（右から２番目）の分草杆部Ａｃを構成してある。右端の分草用支持部材２５Ｄは、中間部材２１の右端部から機体前方に向けて延出するＬ字状に形成してあり、この右端の分草用支持部材２５Ｄの前後向き部分と右端の分草部材１２Ｄとから右端の分草杆部Ａｄを構成してある。
【００３３】
左から２番目と３番目の分草用支持部材２５Ｂ，２５Ｃの前端部には、各穀稈導入経路に導入された未刈り穀稈を対応する掻込搬送装置１４Ａ〜１４Ｃに案内する複数のガイド杆２８Ａ，２８Ｂを取り付けてある。
【００３４】
各分草部材１２Ａ〜１２Ｄは、対応する分草用支持部材２５Ａ〜２５Ｄから機体前方に向けて延出する分草支持杆２９Ａ〜２９Ｄの延出端部（前端部）に板金製の分草具３０Ａ〜３０Ｄを連結して構成してある。そして、各分草具３０Ａ〜３０Ｄの先端が機体の左右方向に所定間隔をあけた状態で位置するように配置設定してある。具体的には、右から２番目の分草具３０Ｃの先端と右端の分草具３０Ｄの先端との間から右側の穀稈導入経路への２条の未刈り穀稈の導入が可能で、かつ、それらの分草具３０Ｃ，３０Ｄの先端の間から右側の穀稈導入経路に１条の未刈り穀稈を導入する場合と２条の未刈り穀稈を導入する場合のいずれの作業状態においても、左端の分草具３０Ａの先端と左から２番目の分草具３０Ｂの先端との間から左側の穀稈導入経路への１条の未刈り穀稈の導入と、左から２番目の分草具３０Ｂの先端と左から３番目（右から２番目）の分草具３０Ｃの先端との間から左右中央の穀稈導入経路への１条の未刈り穀稈の導入とが可能になるように配置設定してある。
【００３５】
各引起装置１３Ａ〜１３Ｃは、対応する引起上部支持部材２３Ａ〜２３Ｃと引起下部支持部材２７Ａ〜２７Ｃとにわたって後傾姿勢で架設してある。そして、刈取搬送伝動系２４で分岐して各引起上部支持部材２３Ａ〜２３Ｃの上端部に備えた引き起し用の駆動軸（図示せず）から取り出した動力で、各引起装置１３Ａ〜１３Ｃに備えた複数の引起爪１３Ａａ〜１３Ｃａが引き起こし作動することにより、収穫作業時の走行に伴って対応する穀稈導入経路に導入された未刈り穀稈を引き起こすように構成してある。各引起装置１３Ａ〜１３Ｃの底部には、対応する穀稈導入経路に導入された未刈り穀稈を複数の引起爪１３Ａａ〜１３Ｃａによって引き起こし領域に掻き寄せる左右向きの掻き寄せ領域を備えている。そして、右側の引起装置１３Ｃは、その掻き寄せ領域の長さが他の引起装置１３Ａ，１３Ｂの掻き寄せ領域よりも長くなるように構成してあり、これにより、右側の穀稈導入経路に２条の未刈り穀稈を導入した場合であっても、２条の未刈り穀稈の引き起こしを良好に行うことができる。
【００３６】
上記の構成により、左側と左右中央の引起枠１８Ａ，１８Ｂを、収穫作業時の走行に伴って１条の未刈り穀稈を梳き分けて引き起こす１条用に構成し、かつ、右側の引起枠１８Ｃを、収穫作業時の走行に伴って最大２条の未刈り穀稈を梳き分けて引き起こす２条用に構成してある。
【００３７】
各掻込搬送装置１４Ａ〜１４Ｃは、対応する穀稈導入経路に導入された未刈り穀稈に掻き込み搬送作用する掻込搬送機構としてのベルト式掻込搬送機構３１Ａ〜３１Ｃとパッカ３２Ａ〜３２Ｃとを上下に所定間隔をあけて配備して構成してある。各ベルト式掻込搬送機構３１Ａ〜３１Ｃは、掻き込み搬送用の複数の突出部３３Ａａ〜３３Ｃａを一定ピッチで一体形成した無端回動体としてのゴム製の掻込搬送ベルト３３Ａ〜３３Ｃを、各ベルト式掻込搬送機構３１Ａ〜３１Ｃの搬送終端部に備える駆動用の回転体としての大径の駆動プーリ３４Ａ〜３４Ｃと、各ベルト式掻込搬送機構３１Ａ〜３１Ｃの搬送始端部に備える回転体としての小径のテンションプーリ３５Ａ〜３５Ｃとにわたって巻き掛けて構成してある。そして、右側のベルト式掻込搬送機構３１Ｃは、２条の未刈り穀稈の導入が可能な右側の穀稈導入経路に、２条の未刈り穀稈の掻き込み搬送が可能となるように配備することから、他の穀稈導入経路に配備する１条用のベルト式掻込搬送機構３１Ａ，３１Ｂよりも搬送領域が長くなるように構成してある。各駆動プーリ３４Ａ〜３４Ｃは対応するパッカ３２Ａ〜３２Ｃと一体回転するように構成してあり、各パッカ３２Ａ〜３２Ｃの外周部には掻き込み搬送用の複数の突出部３２Ａａ〜３２Ｃａを一定ピッチで一体形成してある。そして、左右中央のパッカ３２Ｂは右側のパッカ３２Ｃと噛み合い連動するように構成してあり、左右中央のパッカ３２Ｂには他のパッカ３２Ａ，３２Ｃよりも小径のものを採用してある。
【００３８】
切断装置１５は、左右両端の分草用支持部材２５Ａ，２５Ｄにわたって架設してある。そして、刈取搬送伝動系２４で分岐して中間部材２１に備えた切断用の駆動軸３６から取り出した動力で作動することにより、各引起装置１３Ａ〜１３Ｃが引き起こして各掻込搬送装置１４Ａ〜１４Ｃが機体後方側に掻き込み搬送する最大４条の未刈り穀稈の株元側を切断するように構成してある。
【００３９】
左側の挟持搬送装置１６Ａは、駆動スプロケット３７Ａと従動スプロケット３８Ａと板金製のチェーンガイド３９とにわたって巻き掛けた突起付き搬送チェーン４０Ａに、左から２番目の分草用支持部材２５Ｂから機体後方に向けて延出した挟持搬送杆４１Ａの後部側を対向させてあり、この対向領域において、左側の掻込搬送装置１４Ａが掻き込み搬送した１条分の刈取穀稈を機体後方に向けて挟持搬送するように構成してある。
【００４０】
右側の挟持搬送装置１６Ｂは、駆動スプロケット３７Ｂと従動スプロケット３８Ｂとガイドスプロケット４２とにわたって巻き掛けた突起付き搬送チェーン４０Ｂに、左から２番目の分草用支持部材２５Ｂから機体後方に向けて延出した挟持搬送杆４１Ｂの後部側を対向させてあり、この対向領域において、左右中央の掻込搬送装置１４Ｂと右側の掻込搬送装置１４Ｃとが掻き込み搬送した最大３条分の刈取穀稈を機体後方に向けて挟持搬送するように構成してある。
【００４１】
供給搬送装置１７は、刈取穀稈の株元側を挟持搬送する挟持搬送機構１７Ａと刈取穀稈の穂先側を係止搬送する係止搬送機構１７Ｂとを上下に備えて、左右の挟持搬送装置１６Ａ，１６Ｂが挟持搬送した最大４条分の刈取穀稈を受け取り、受け取った刈取穀稈を、受け取り時の起立姿勢から脱穀用の右倒れ姿勢に姿勢変更しながら脱穀装置５に供給搬送するように構成してある。
【００４２】
つまり、この自脱型コンバインに装備する刈取搬送装置４は、３つの引起枠１８Ａ〜１８Ｃを備えて最大４条の未刈り穀稈を刈り取って脱穀装置５に搬送することができる３枠４条刈り仕様に構成してある。
【００４３】
図１〜５に示すように、刈取搬送伝動系２４において、刈り取り搬送用の動力は入力軸１０の左端部から第１ベベルギア機構（図示せず）を介して供給搬送装置１７の駆動軸４３に伝達してある。又、入力軸１０の左右中間部から第２ベベルギア機構（図示せず）を介して前後向き伝動軸４４に伝達し、前後向き伝動軸４４から第３ベベルギア機構４５を介して左右向き伝動軸４６に伝達してある。そして、左右向き伝動軸４６の左右両端部から、左右の下部ベベルギア機構４７Ａ，４７Ｂ、左右の下側伝動軸４８Ａ，４８Ｂ、左右の中間ベベルギア機構４９Ａ，４９Ｂ、左右の上側伝動軸５０Ａ，５０Ｂ、及び、左右の上部ベベルギア機構（図示せず）、を介して、左右の引き起し用の駆動軸に伝達してある。又、左右向き伝動軸４６の左右中間部から、後下部ベベルギア機構５１、下部伝動軸５２、後下部ベベルギア機構５３、上下向き伝動軸５４、及び、上部ベベルギア機構（図示せず）、を介して、左右中央の引き起し用の駆動軸に伝達してある。更に、左右向き伝動軸４６から切断用のベベルギア機構５５を介して切断用の駆動軸３６に伝達してある。
【００４４】
左右の下側伝動軸４８Ａ，４８Ｂには、左右の対応する挟持搬送装置１６Ａ，１６Ｂの駆動スプロケット３７Ａ，３７Ｂを一体回転するように外嵌装備してある。左右の挟持搬送装置１６Ａ，１６Ｂは、それらの従動スプロケット３８Ａ，３８Ｂが左右の対応するベルト式掻込搬送機構３１Ａ，３１Ｃの駆動プーリ３４Ａ，３４Ｃ及びパッカ３２Ａ，３２Ｃと一体回転するように構成してある。そして、前述したように、左右中央のベルト式掻込搬送機構３１Ａ，３１Ｃの駆動プーリ３４Ａと一体回転する左右中央のパッカ３２Ｂが右側のパッカ３２Ｃと噛み合い連動する。
【００４５】
つまり、引き起こし伝動用の左右の下側伝動軸４８Ａ，４８Ｂから分岐した動力で、各掻込搬送装置１４Ａ〜１４Ｃ及び左右の挟持搬送装置１６Ａ，１６Ｂを駆動するように構成してある。
【００４６】
図１及び図３〜７に示すように、左右の引起上部支持部材２３Ａ，２３Ｃは、前側ケース５６Ａと後側ケース５６Ｂとを備える前後２分割構造の下側支持部材５６、及び、丸パイプ材などで構成した上側支持部材５７、などから構成してある。各下側支持部材５６には、内蔵する下側伝動軸４８Ａ，４８Ｂと一体回転する駆動スプロケット３７Ａ，３７Ｂへの突起付き搬送チェーン４０Ａ，４０Ｂの巻き掛けを可能にする開口５６Ｃを形成してある。
【００４７】
図３、図４及び図６に示すように、左側の下側支持部材５６には、左側の掻込搬送装置１４Ａ及び左側の挟持搬送装置１６Ａを支持する左側の支持フレーム５８に備えた連結部材５９をボルト連結してある。この連結部材５９には、左側の下側支持部材５６の前側ケース５６Ａ及び後側ケース５６Ｂの各機体内側に上下向きに形成した連結フランジ５６Ａａ，５６Ｂａに外嵌するチャンネル材を採用してあり、丸パイプ材などから構成した支持部材６０の後側連結部６０Ａを溶接してある。
【００４８】
支持部材６０は、その後側連結部６０Ａを上下向きに形成してあり、後側連結部６０Ａの上端部から機体前方に向けて延出する平面視くの字状の前向き延出部６０Ｂを備えるように屈曲形成してある。そして、その前向き延出部６０Ｂの前端に備えた板状の前側連結部６０Ｃを、左側の引起下部支持部材２７Ａに備えた板状の連結部２７Ａａにボルト連結してある。支持部材６０における前向き延出部６０Ｂの後半部内側には支持板６１の左端部を溶接してあり、この支持板６１には、支持板６１から下向きに延出する後支軸６２を溶接してある。
【００４９】
支持板６１は、その後端部６１Ａが下向きになるように屈曲形成してあり、その後端部６１Ａの下端をチェーンガイド３９の上面に溶接してある。チェーンガイド３９は、その左端部の横側縁を連結部材５９に溶接し、又、その左端部の上面を支持部材６０における後側連結部６０Ａの下端に溶接してある。後支軸６２は、その上部と支持板６１とに溶接した一対のリブ６３Ａ，６３Ｂで補強してあり、この後支軸６２に左側のベルト式掻込搬送機構３１Ａの駆動プーリ３４Ａと左側のパッカ３２Ａと左側の挟持搬送装置１６Ａの従動スプロケット３８Ａとを相対回転可能に支持させてある。
【００５０】
支持部材６０における前向き延出部６０Ｂの前端部には、テンションプーリ支持用の支持金具６０Ｄを前向き延出部６０Ｂの右側に延出するように溶接してあり、この支持金具６０Ｄに、左側のベルト式掻込搬送機構３１Ａのテンションプーリ３５Ａを、このテンションプーリ用のホルダ６４Ａとともに、テンションプーリ３５Ａの相対回転を許容するようにボルト連結してある。そして、このボルト連結用のボルト６５が左側のベルト式掻込搬送機構３１Ａのテンションプーリ３５Ａを支持する上下向きの前支軸となる。
【００５１】
図３、図４及び図７〜９に示すように、右側の下側支持部材５６には、右側の掻込搬送装置１４Ｃ及び右側の挟持搬送装置１６Ｂを支持する右側の支持フレーム６６に備えた連結部材６７をボルト連結してある。この連結部材６７には、右側の下側支持部材５６の前側ケース５６Ａ及び後側ケース５６Ｂの各機体内側に上下向きに形成した連結フランジ５６Ａａ，５６Ｂａに外嵌するチャンネル材を採用してあり、丸パイプ材などから構成した支持部材６８の中間連結部６８Ａを溶接してある。
【００５２】
支持部材６８は、その中間連結部６８Ａを上下向きに形成してあり、中間連結部６８Ａの上端部から機体前方に向けて延出する平面視くの字状の前向き延出部６８Ｂと、中間連結部６３Ａの下端部から左上後方に向けて延出する後向き延出部６８Ｃとを備えるように屈曲形成してある。そして、その前向き延出部６８Ｂの前端に備えた板状の前側連結部６８Ｄを、右側の引起下部支持部材２７Ｃに備えた板状の連結部２７Ｃａにボルト連結してある。又、その後向き延出部６８Ｃの後端に備えた板状の後側連結部６８Ｅを、刈取搬送フレーム１１の延出部材２０に備えた板状の連結部２０Ａにボルト連結してある。支持部材６８における前向き延出部６８Ｂの後半部内側には支持板６９の右端部を溶接してあり、この支持板６９には、支持板６９から下向きに延出する後支軸７０を溶接してある。
【００５３】
支持板６９は、その後端部６９Ａが下向きになるように屈曲形成してあり、その後端部６９Ａの下端を後向き延出部６８Ｃに溶接してある。後支軸７０は、その上部と支持板６９とに溶接した一対のリブ７１Ａ，７１Ｂで補強してあり、この後支軸７０に右側のベルト式掻込搬送機構３１Ｃの駆動プーリ３４Ｃと右側のパッカ３２Ｃと右側の挟持搬送装置１６Ｂの従動スプロケット３８Ｂとを相対回転可能に支持させてある。
【００５４】
支持部材６８の前側連結部６８Ｄには、右側のベルト式掻込搬送機構３１Ｃのテンションプーリ３５Ｃを、このテンションプーリ用のホルダ６４Ｃとともに、テンションプーリ３５Ｃの相対回転を許容するようにボルト連結してある。そして、このボルト連結用のボルト７２が右側のベルト式掻込搬送機構３１Ａのテンションプーリ３５Ａを支持する上下向きの前支軸となる。又、支持部材６８の後側連結部６８Ｅには、後側連結部６８Ｅから下向きに延出する支軸７３を装備してあり、この支軸７３にガイドスプロケット４２を相対回転可能に支持させてある。
【００５５】
図３に示すように、左右中央の引起上部支持部材２３Ｂには、左右中央の掻込搬送装置１４Ｂなどを支持する左右中央の支持フレーム７４の後端部とのボルト連結を可能にする板状の連結部２３Ｂａを備えてある。支持フレーム７４は、角パイプ材などから構成した後側部材７４Ａの前端部に板金製の前側部材７４Ｂの後端部を溶接して平面視くの字状に形成してある。そして、前側部材７４Ｂの前端部を、左右中央の引起下部支持部材２７Ｂに備えた板状の連結部（図示せず）にボルト連結してある。又、後側部材７４Ａと前側部材７４Ｂとの重合部に、この重合部から下向きに延出する後支軸７５を溶接してあり、この後支軸７５に左右中央のベルト式掻込搬送機構３１Ｂの駆動プーリ３４Ｂと左右中央のパッカ３２Ｂとを相対回転可能に支持させてある。支持フレーム７４における前側部材７４Ｂの前端部には、左右中央のベルト式掻込搬送機構３１Ｂのテンションプーリ３５Ｂを、このテンションプーリ用のホルダ６４Ｂとともに、テンションプーリ３５Ｂの相対回転を許容するようにボルト連結してある。そして、このボルト連結用のボルト７６が左右中央のベルト式掻込搬送機構３１Ａのテンションプーリ３５Ａを支持する上下向きの前支軸となる。
【００５６】
図３及び図７〜９に示すように、各ベルト式掻込搬送機構３１Ａ〜３１Ｃの直上方には、各ベルト式掻込搬送機構３１Ａ〜３１Ｃによる未刈り穀稈及び刈取穀稈の掻き込み搬送を許容しながら各ベルト式掻込搬送機構３１Ａ〜３１Ｃへの未刈り穀稈及び刈取穀稈の巻き付きを防止するカバー７７Ａ〜７７Ｃを配備してある。各カバー７７Ａ〜７７Ｃは板金製で、対応する支持フレーム５８，６６，７４に溶接してある。左右のカバー７７Ａ，７７Ｃには、対応する後支軸６２，７０及びリブ６３Ａ，６３Ｂ，７１Ａ，７１Ｂの挿通を許容する平面視くの字状の開口７７Ａａ，７７Ｃａを形成してあり、左右中央のカバー６８Ｂには、後支軸７５の挿通を許容する円形の開口７７Ｂａを形成してある。
【００５７】
図３に示すように、右側の挟持搬送装置１６Ｂには、ガイドスプロケット４２から駆動スプロケット３７Ｂに向けて移動する突起付き搬送チェーン４０Ｂを上方から覆うチェーンカバー７８を、右側の引起上部支持部材２３Ａと右側の支持フレーム６６の後側連結部６８Ｅとにわたるように備えてある。チェーンカバー７８は板金製で、その左端部を右側の支持フレーム６６の後側連結部６８Ｅとともに刈取搬送フレーム１１における延出部材２０の連結部２０Ａにボルト連結してある。
【００５８】
図３及び図４に示すように、左側の支持フレーム５８の支持金具６０Ｄと左側のカバー７７Ａの前端部には、後支軸６２に対する左側のテンションプーリ３５Ａ及びホルダ６４Ａの遠近方向での位置調節を可能にする長孔６０Ｄａ，７７Ａｂを形成してあり、この位置調節により、左側のベルト式掻込搬送機構３１Ａにおける掻込搬送ベルト３３Ａのテンションを調節することができる。
【００５９】
左右中央の支持フレーム７４の前側部材７４Ｂの前端部と左右中央のカバー７７Ｂの前端部には、後支軸７５に対する左右中央のテンションプーリ３５Ｂ及びホルダ６４Ｂの遠近方向での位置調節を可能にする長孔７４Ｂａ，７７Ｂｂを形成してあり、この位置調節により、左右中央のベルト式掻込搬送機構３１Ｂにおける掻込搬送ベルト３３Ｂのテンションを調節することができる。
【００６０】
図３、図４及び図８に示すように、右側の支持フレーム６６において、支持部材６８の前向き延出部６８Ｂは、その前部側が右側の引起下部支持部材２７Ｃに備えた連結部２７Ｃａに向けて右前方向きに延出するように形成してあり、その前向き延出部６８Ｂの前端に備える前側連結部６８Ｄは、前向き延出部６８Ｂから更に右横側に張り出す張り出し領域を備えた平面視三角形状に形成してある。又、前側連結部６８Ｄは、その張り出し領域を備える後部側の高さ位置が右側の引起下部支持部材２７Ｃの連結部２７Ｃａに連結する前端部よりも低くなるように屈曲形成してある。
【００６１】
そして、前側連結部６８Ｄの後部側には、後支軸７０に対する右側のテンションプーリ３５Ｃ及びホルダ６４Ｃの遠近方向での位置調節を可能にし、かつ、右側の穀稈導入経路に対する後支軸７０を支点にした右側のベルト式掻込搬送機構３１Ｃの姿勢変更を可能にする２つの取付孔としての長孔６８Ｄａ，６８Ｄｂを形成してあり、各長孔６８Ｄａ，６８Ｄｂでのテンションプーリ３５Ｃ及びホルダ６４Ｃの位置調節により、右側のベルト式掻込搬送機構３１Ｃにおける掻込搬送ベルト３３Ｃのテンションを調節することができ、又、２つの長孔６８Ｄａ，６８Ｄｂに対するテンションプーリ３５Ｃ及びホルダ６４Ｃの付け替えにより、右側のベルト式掻込搬送機構３１Ｃの姿勢を、右側のベルト式掻込搬送機構３１Ｃの前端が右側の引起装置１３Ｃから離れて、右側のベルト式掻込搬送機構３１Ｃの搬送領域が右端から２番目の分草杆部Ａｃと右端の分草杆部材Ａｄとにほぼわたる（右側の穀稈導入経路の左右幅全域にほぼわたる）ようになる右側の穀稈導入経路に対する開き角度の大きい第１搬送姿勢と、右側のベルト式掻込搬送機構３１Ｃの前端が第１搬送姿勢よりも右側の引起装置１３Ｃに近づいて、右側の引起装置１３Ｃが引き起こす未刈り穀稈に対して右側のベルト式掻込搬送機構３１Ｃがより速く掻き込み搬送作用するようになる右側の穀稈導入経路に対する開き角度の小さい第２搬送姿勢とに変更することができる。
【００６２】
第１搬送姿勢用の長孔６８Ｄａは、前側連結部６８Ｄにおける後部側の張り出し領域に、右側のベルト式掻込搬送機構３１Ｃの駆動プーリ３４Ｃなどを支持する後支軸７０に向かう姿勢で形成してある。第２搬送姿勢用の長孔６８Ｄｂは、前側連結部６８Ｄの後部側における支持部材６８の前方箇所に、右側のベルト式掻込搬送機構３１Ｃの駆動プーリ３４Ｃなどを支持する後支軸７０に向かう姿勢で形成してある。
【００６３】
この構成により、稈長の長い長稈を収穫する場合には、右側のベルト式掻込搬送機構３１Ｃのテンションプーリ３５Ｃ及びホルダ６４Ｃを、機体右外側の長孔６８Ｄａを使用して右側の支持フレーム６６の前側連結部６８Ｄにボルト連結することで、右側のベルト式掻込搬送機構３１Ｃの姿勢を第１搬送姿勢とすることができ、これにより、右側の穀稈導入経路に導入されて右側の引起装置１３Ｃで引き起こされる未刈り穀稈の株元側を、１条導入状態と２条導入状態とにかかわらず右側のベルト式掻込搬送機構３１Ｃによって機体の左右中央側の後方に向けて適切に掻き込み搬送することができる。
【００６４】
又、稈長の短い短稈を収穫する場合には、右側のベルト式掻込搬送機構３１Ｃのテンションプーリ３５Ｃ及びホルダ６４Ｃを、機体の左右内側の長孔６８Ｄｂを使用して右側の支持フレーム６６の前側連結部６８Ｄにボルト連結することで、右側のベルト式掻込搬送機構３１Ｃの姿勢を第２搬送姿勢とすることができ、これにより、右側の穀稈導入経路に導入されて右側の引起装置１３Ｃで引き起こされる未刈り穀稈が、その稈長が短いことにより、右側の引起装置１３Ｃの引起爪１３Ｃａによる引き起こしの途中で右側の引起装置１３Ｃの引起爪１３Ｃａから外れたとしても、その引起爪１３Ｃａから外れた未刈り穀稈を右側のベルト式掻込搬送機構３１Ｃが右側の引起装置１３Ｃの近くに位置する前端側で受け止めて機体の左右中央側の後方に向けて掻き込み搬送するようになり、これにより、稈長の短い未刈り穀稈（特に右側の穀稈導入経路に対する２条導入状態での右側の未刈り穀稈）が右側の引起装置１３Ｃの引起爪１３Ｃａから外れて倒伏することに起因した刈り残しなどの発生を防止することができる。
【００６５】
そして、右側のベルト式掻込搬送機構３１Ｃの姿勢変更を可能にする２つの長孔６８Ｄａ，６８Ｄｂは、上述した右側の支持部材６８における前向き延出部６８Ｂの形状、前側連結部６８Ｄの形状、及び、前側連結部６８Ｄにおける各長孔６８Ｄａ，６８Ｄｂの形成箇所から、刈取搬送装置４の右端近くに位置するようになっており、これにより、右側のベルト式掻込搬送機構３１Ｃの姿勢変更を刈取搬送装置４の右外側箇所から容易に行うことができる。
【００６６】
図２〜４に示すように、右側のベルト式掻込搬送機構３１Ｃは、前述したように２条の未刈り穀稈の掻き込み搬送が可能となるように他の穀稈導入経路に配備する１条用のベルト式掻込搬送機構３１Ａ，３１Ｂよりも搬送領域が長くなるように構成してある。そのため、左右のベルト式掻込搬送機構３１Ｃの掻き込み搬送速度が同じになるように構成すると、４条収穫作業時に右側のベルト式掻込搬送機構３１Ｃでの搬送能力が不足して右側のベルト式掻込搬送機構３１Ｃにおいて未刈り穀稈が滞留して詰まるなどの不都合を招く虞がある。
【００６７】
そこで、右側のベルト式掻込搬送機構３１Ｃの駆動プーリ３４Ｃには、左側のベルト式掻込搬送機構３１Ａに採用する駆動プーリ３４Ａよりも大径のものを採用してあり、これにより、左右の駆動プーリ３４Ａ，３４Ｃの回転数を同じにしながらも、右側の駆動プーリ３４Ａの周速度が左側の駆動プーリ３４Ｃの周速度よりも速くなるとともに、右側の掻込搬送ベルト３３Ｃの回動速度が左側の掻込搬送ベルト３３Ａの回動速度よりも速くなって、右側のベルト式掻込搬送機構３１Ｃによる掻き込み搬送速度が左側のベルト式掻込搬送機構３１Ａによる掻き込み搬送速度よりも速くなるように構成してある。
【００６８】
その結果、右側のベルト式掻込搬送機構３１Ｃの駆動プーリ３４Ｃに左側のベルト式掻込搬送機構３１Ａの駆動プーリ３４Ａよりも大径のものを採用するだけの簡単な構成でありながら、４条収穫作業時に右側のベルト式掻込搬送機構３１Ｃにおいて未刈り穀稈が滞留して詰まるなどの不都合が生じる虞を防止することができる。
【００６９】
尚、左右中央のベルト式掻込搬送機構３１Ｂは、その駆動プーリ３４Ｂと一体回転する左右中央のパッカ３２Ｂと、右側のベルト式掻込搬送機構３１Ｃの駆動プーリ３４Ｃと一体回転する右側のパッカ３２Ｃとの噛み合い連動によって、左右中央のベルト式掻込搬送機構３１Ｂによる掻き込み搬送速度が左側のベルト式掻込搬送機構３１Ａによる掻き込み搬送速度と同じ又は略同じになるように、その駆動プーリ３４Ｂに他のベルト式掻込搬送機構３１Ａ，３１Ｃの駆動プーリ３４Ａ，３４Ｃよりも小径のものを採用してある。
【００７０】
〔別実施形態〕
【００７１】
〔１〕２条の未刈り穀稈の引き起こしが可能となるように構成した２条用の引起枠と、この２条用の引起枠で引き起こした未刈り穀稈を無端回動帯で機体の後方側に掻き込み搬送するように構成した２条用の掻込搬送機構とを備えた歩行型刈取収穫機（バインダ）あるいは歩行型の自脱型コンバインなどであってもよい。
【００７２】
〔２〕刈取搬送装置４としては、刈取搬送装置４に備える複数の引起枠１８Ａ〜１８Ｃのうちの少なくともいずれか１つが２条の未刈り穀稈の導入が可能となるように構成したものであれば種々の変更が可能であり、例えば、２条の未刈り穀稈の導入が可能な１つの引起枠１８Ａと１条用の１つの引起枠１８Ｂとを備えた２枠３条刈り仕様、２条の未刈り穀稈の導入が可能な２つの引起枠１８Ａ，１８Ｂを備えた２枠４条刈り仕様、又は、左側の引起枠１８Ａへの２条の未刈り穀稈の導入が可能で、左右中央と右側の引起枠１８Ｂ，１８Ｃへは１条の未刈り穀稈の導入のみが可能となるように構成した３枠４条刈り仕様のものなどであってもよい。
【００７３】
〔３〕掻込搬送機構３１Ａ〜３１Ｃとしては、無端回動帯３３Ａ〜３３Ｃにその一例である掻き込み搬送用の突出部３３Ａａ〜３３Ｃａを備えた掻込搬送チェーンを採用して構成したチェーン式のものであってもよい。又、その搬送終端部に備えた回転体３４Ｃをテンション用とし、その搬送始端部に備えた回転体３５Ｃを駆動用とするように構成したものであってもよい。
【００７４】
〔４〕２条用の掻込搬送機構３１Ｃとしては、第１搬送姿勢において、２条用のベルト式掻込搬送機構３１Ｃの前端が引起装置１３Ｃから離れて、２条用のベルト式掻込搬送機構３１Ｃの搬送領域が２条用のベルト式掻込搬送機構３１Ｃに隣接する分草杆部材Ａｃ，Ａｄにわたる（隣接する分草杆部Ａｃ，Ａｄの間に形成される穀稈導入経路の左右幅全域にわたる）ように構成したものであってもよい。
【００７５】
〔５〕２条用の掻込搬送機構３１Ｃの姿勢変更を可能にする構成としては種々の変更が可能であり、例えば、２条用の掻込搬送機構３１Ｃに、搬送終端部の回転体３４Ｃと搬送始端部の回転体３５Ｃを支持する支持部材を備え、この支持部材に、２条用の掻込搬送機構３１Ｃの姿勢変更を可能にする上下向きの揺動支点軸と、支持フレーム６６に対して２条用の掻込搬送機構３１Ｃを第１搬送姿勢又は第２搬送姿勢で連結固定する上下向きの連結軸とを備えるように構成してもよい。
【００７６】
〔６〕支持フレーム６６に形成する取付孔６８Ｄａ，６８Ｄｂの形状や数量は種々の変更が可能であり、例えば、上記の実施形態で例示した２つの長孔６８Ｄａ，６８Ｄｂの後支軸７０側の端部を繋いだコの字状の単一の取付孔を支持フレーム６６に形成するようにしてもよい。又、姿勢変更用の２つの取付孔６８Ｄａ，６８Ｄｂを円形に形成してもよく、更に、姿勢変更用とテンション用とを兼ねる複数の円形の取付孔を支持フレーム６６に形成するようにしてもよい。又更に、２条用の掻込搬送機構３１Ｃに搬送終端部の回転体３４Ｃと搬送始端部の回転体３５Ｃ以外にテンション用の回転体を備えた上で、２つの取付孔６８Ｄａ，６８Ｄｂを円形に形成してもよく、又、２条用の掻込搬送機構３１Ｃの揺動支点となる後支軸７０を中心とする円弧状の単一の取付孔を支持フレーム６６に形成するようにしてもよい。
【００７７】
〔７〕搭乗運転部２からの２条用の掻込搬送機構３１Ｃの姿勢変更が可能となるように、搭乗運転部２に備えた操作レバーと２条用の掻込搬送機構３１Ｃとを連係ワイヤや連係リンクなどで機械的に連係するように構成してもよく、搭乗運転部２に備えたスイッチなどと２条用の掻込搬送機構３１Ｃを姿勢変更する電動アクチュエータとを電気的に連係するように構成してもよい。
【００７８】
〔８〕２条用の掻込搬送機構３１Ｃの掻き込み搬送速度を１条用の掻込搬送機構３１Ａ，３１Ｂの掻き込み搬送速度よりも速くする構成としては種々の変更が可能であり、例えば、刈取搬送伝動系２４に、２条用の掻込搬送機構３１Ｃの掻き込み搬送速度を１条用の掻込搬送機構３１Ａ，３１Ｂの掻き込み搬送速度よりも速くするためのギア式の増速機構を備えるようにしてもよい。
【００７９】
〔９〕２条用の引起枠に左右一対の引起装置をそれらの引き起こし領域が対向するように配備してもよい。
【産業上の利用可能性】
【００８０】
本発明に係る刈取収穫機の刈取搬送構造は、少なくとも、２条の未刈り穀稈の引き起こしが可能となるように構成した２条用の引起枠と、この２条用の引起枠で引き起こした未刈り穀稈を無端回動帯で機体の後方側に掻き込み搬送するように構成した２条用の掻込搬送機構とを備えるものであれば、１枠２条刈り仕様や２枠３条刈り仕様の歩行型刈取収穫機（バインダ）、あるいは、２枠３条刈り仕様や２枠４条刈り仕様の自脱型コンバイン、などの刈取収穫機に適用することができる。
【符号の説明】
【００８１】
１３Ａ    引起装置
１３Ｃ    引起装置
１３Ｂ    引起装置
１８Ａ    引起枠（１条用）
１８Ｂ    引起枠（１条用）
１８Ｃ    引起枠（２条用）
３１Ａ    掻込搬送機構（１条用）
３１Ｂ    掻込搬送機構（１条用）
３１Ｃ    掻込搬送機構（２条用）
３３Ａ    無端回動帯
３３Ｂ    無端回動帯
３３Ｃ    無端回動帯
３４Ａ    駆動用の回転体
３４Ｂ    駆動用の回転体
３４Ｃ    駆動用の回転体（搬送終端部の回転体）
３５Ｃ    搬送始端部の回転体
６６      支持フレーム
６８Ｄａ  取付孔
６８Ｄｂ  取付孔
７０      後支軸
７２      前支軸
Ａａ      分草杆部
Ａｂ      分草杆部
Ａｃ      分草杆部
Ａｄ      分草杆部
【図１】
2012090578.tif 000003
【図２】
2012090578.tif 000004
【図３】
2012090578.tif 000005
【図４】
2012090578.tif 000006
【図５】
2012090578.tif 000007
【図６】
2012090578.tif 000008
【図７】
2012090578.tif 000009
【図８】
2012090578.tif 000010
【図９】
2012090578.tif 000011